(57)【特許請求の範囲】
【請求項１】
集合住宅の共用部に設置されるロビーインターホン装置と、前記集合住宅内の各住戸に設置されるインターホンを具備した住宅情報盤と、前記ロビーインターホン装置及び各住戸の前記住宅情報盤を接続したＩＰネットワークを少なくとも備え、前記ロビーインターホン装置及び各々の前記住宅情報盤にＶｏＩＰによる通話処理機能を設け、前記ロビーインターホン装置と前記住宅情報盤の前記インターホンとの間若しくは各々の前記住宅情報盤の前記インターホン間の通話をＶｏＩＰにて行い、
前記ＩＰネットワークと同じ通信方式による通信が行われ複数の前記ＩＰネットワークが接続可能な第１の公衆網と前記ＩＰネットワークと異なる通信方式による通信が行われる第２の公衆網とを接続するＶｏＩＰサーバを備え、
前記ＩＰネットワークを前記第１の公衆網に接続し、前記第１の公衆網を介して前記第２の公衆網に接続された通話機器と、前記ロビーインターホン装置若しくは前記住宅情報盤の前記インターホンとの間で通話可能とし、
前記住宅情報盤に設けた留守設定手段によって留守設定が為されている住戸に対する呼び出しがあると、起動して呼び出し側に対して留守録状態であることを知らせ且つ呼び出し側の音声データを記録する留守録機能を備え、前記ＩＰネットワークに接続された管理装置を具備したことを特徴とする集合住宅用通信システム。
【請求項２】
前記ロビーインターホン装置及び各々の前記住宅情報盤に、固有の呼び出し番号及び対応するＩＰアドレスを割り当てるとともに、通話相手先の呼び出し時に通話相手先の呼び出し番号を入力する入力手段と、前記入力手段から入力された相手先番号から対応するＩＰアドレスに変換する番号−ＩＰアドレス変換手段とを備えたことを特徴とする請求項１記載の集合住宅用通信システム。
【請求項３】
前記ロビーインターホン装置にＴＶカメラを具備していることを特徴とする請求項１又は２記載の集合住宅用通信システム。
【請求項４】
前記住戸には、ＶｏＩＰ処理機能を有し且つ前記ＩＰネットワークに接続されたドアホンを設けて成ることを特徴とする請求項１乃至３の何れか記載の集合住宅用通信システム。
【請求項５】
前記ドアホンにＴＶカメラを具備していることを特徴とする請求項４記載の集合住宅用通信システム。
【請求項６】
前記集合住宅の共用部に、ＶｏＩＰ処理機能を有し、前記ＩＰネットワークに接続された音声装置を設置して成ることを特徴とする請求項１乃至５の何れか記載の集合住宅用通信システム。
【請求項７】
前記管理装置には各々の前記住戸の通話履歴を保存する履歴保存機能を備えていることを特徴とする請求項１乃至６の何れか記載の集合住宅用通信システム。
【発明の詳細な説明】
【０００１】
【発明の属する技術分野】
本発明は、マンションなどの集合住宅に設置される集合住宅用通信システムに関するものである。
【０００２】
【従来の技術】
従来集合住宅用の通信システムは、一般にロビーインターホン装置と、各住戸に設けられた住宅情報盤に付設されているインターホンとの間、或いは管理人室に設けられている管理装置のインターホンと、各住戸の住宅情報盤のインターホンとの間等で通話を行う通話系と、ロビーインターホン装置に付設されるＴＶカメラの映像を住戸の住宅情報盤のモニタＴＶや管理装置のモニタＴＶでモニタするための映像系と、更に住宅情報盤に接続されるセンサの検知に応じて警報情報を管理装置へ伝達するための情報伝送系の線路により構築されており、通話系の場合、通話路形成のために線路切り替え制御を行っていた。
【０００３】
【発明が解決しようとする課題】
上記のような従来の集合住宅用の通信システムでは夫々の系に応じた配線や切り替え制御のための構成が必要な上に、同じ集合住宅内の住戸に設けている住宅情報盤のインターホン同士の通話ができず、通話が必要な場合には、外部との通話と同様に電話網を用いた加入者電話同士によって行っていた。
【０００４】
本発明は、上記の点に鑑みた為されたもので、住戸数に関係なく共通のＩＰネットワークを通じて通話路を形成でき、配線が簡単な上に容易な上に、線路切り替えなどの制御のための構成が不要でシステムコストも安価で、しかも住戸同士で住宅情報盤のインターホンによる通話ができる集合住宅用通信システムを提供することにある。
【０００５】
【課題を解決するための手段】
上述の目的を達成するために、請求項１の発明では、集合住宅の共用部に設置されるロビーインターホン装置と、集合住宅内の各住戸に設置されるインターホンを具備した住宅情報盤と、ロビーインターホン装置及び各住戸の住宅情報盤を接続したＩＰネットワークを少なくとも備え、ロビーインターホン装置及び各々の住宅情報盤にＶｏＩＰによる通話処理機能を設け、ロビーインターホン装置と住宅情報盤のインターホンとの間若しくは各々の住宅情報盤のインターホン間の通話をＶｏＩＰにて行い、ＩＰネットワークと同じ通信方式による通信が行われ複数のＩＰネットワークが接続可能な第１の公衆網とＩＰネットワークと異なる通信方式による通信が行われる第２の公衆網とを接続するＶｏＩＰサーバを備え、ＩＰネットワークを第１の公衆網に接続し、第１の公衆網を介して第２の公衆網に接続された通話機器と、ロビーインターホン装置若しくは住宅情報盤のインターホンとの間で通話可能とし、住宅情報盤に設けた留守設定手段によって留守設定が為されている住戸に対する呼び出しがあると、起動して呼び出し側に対して留守録状態であることを知らせ且つ呼び出し側の音声データを記録する留守録機能を備え、ＩＰネットワークに接続された管理装置を具備したことを特徴とする。
【０００７】
請求項２の発明では、請求項１の発明において、上記ロビーインターホン装置及び各住宅情報盤に、固有の呼び出し番号及び対応するＩＰアドレスを割り当てるとともに、通話相手先の呼び出し時に通話相手先の呼び出し番号を入力する入力手段と、該入力手段から入力された相手先番号から対応するＩＰアドレスに変換する番号−ＩＰアドレス変換手段とを備えたことを特徴とする。
【０００８】
請求項３の発明では、請求項１又は２の何れかの発明において、上記ロビーインターホン装置にＴＶカメラを具備していることを特徴とする。
【０００９】
請求項４の発明では、請求項１乃至３の何れか記載の発明において、上記住戸には、ＶｏＩＰ処理機能を有し且つ上記ＩＰネットワークに接続されたドアホンを設けて成ることを特徴とする。
【００１０】
請求項５の発明では、請求項４の発明において、上記ドアホンにＴＶカメラを具備していることを特徴とする。
【００１１】
請求項６の発明では、請求項１乃至５の何れかの発明において、上記集合住宅の共用部に、ＶｏＩＰ処理機能を有し、上記ＩＰネットワークに接続された音声装置を設置して成ることを特徴とする。
【００１３】
請求項７の発明では、請求項１乃至６の何れかの発明において、上記管理装置には各住戸の通話履歴を保存する履歴保存機能を備えていることを特徴とする。
【００１４】
【実施の形態】
以下本発明を実施形態により説明する。
【００１５】
図１は本発明の一実施形態のシステム構成を示しており、図示するシステムを設置する集合住宅ではＩＰ（インターネットプロトコル）ネットワーク１が敷設され、このＩＰネットワーク１に対して各住戸２に設置されている住宅情報盤３を接続するとともに各住戸２のドアホン４…を住宅情報盤３を通じて接続している。
【００１６】
同様に集合住宅の玄関に設置されているロビーインターホン装置５、管理人室に設置される管理装置６、共用部の監視用ＴＶカメラ７…の映像信号をＩＰネットワーク１上に送出するための映像アダプタ８、共用部であるエレベータ内の監視とエレベータ内から通話を行うための監視／通話装置９、共用部に設ける共用部内固定設置型音声装置１５を夫々ＩＰネットワーク１に接続している。これらの監視／通話装置９、共用部に設ける共用部内固定設置型音声装置１５は請求項６に係る発明の音声装置に対応するものである。
【００１７】
上記ＩＰネットワーク１に接続される各機器にはローカルのＩＰアドレスが付与されて、音声、映像、情報を夫々に適応したＩＰを用いて伝送することができるようになっており、音声データの伝送にはＶｏＩＰが用いられる。
【００１８】
そして管理装置６はルータ機能を備え、ＣＡＴＶ（ケーブルテレビ回線）網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＡＤＳＬ等のｘＤＳＬ（ｘ  Ｄｉｇｔａｌ  ＳｕｂｓｃｒｉｂｅｒＬｉｎｅ）や、モデムを介する電話回線等の公衆網や専用回線を介してインターネット１０に接続し、該インターネット１０を介して他の集合住宅１１のＩＰネットワークとの間で適宜のＩＰによる情報通信を可能とするとともに、インターネット１０上のＶｏＩＰサーバ１２を通じて加入者電話網１３の加入者電話機１４との間でのＶｏＩＰによる通話網を構築するようになっている。
【００１９】
ここで図２は住宅情報盤３の概略構成を示しており、住宅情報盤３全体の統御を行うためのＣＰＵユニット３０，インターホン３１，モニタＴＶ３２、集合住宅内のＩＰネットワーク１に接続するためのＩＰインターフェース３３と、住戸間通話や、他の集合住宅の住戸内の住宅情報盤若しくはインターネット電話更には加入者電話網１３上の加入者電話機１４を呼び出すためのテンキーを含む入力操作部３４等を備えている。
【００２０】
そして各住戸の住宅情報盤３にはローカルのＩＰアドレスが付与されるとともに、ＩＰアドレスに対応付けしたインターホン３１用の呼び出し番号が設定されている。これらのＣＰＵユニット３０内の記憶部には自己ＩＰアドレスを記憶保持するとともに、同一集合住戸の各住戸２の住宅情報盤３や管理装置６に具備している後述するインターホン６１、相互間で通話系統が連係される他の集合住宅１１の住戸２に設置されている住宅情報盤３のＩＰアドレスと該ＩＰアドレスに対応して割り当てている呼び出し番号の対応関係を格納したテーブルを格納している。
【００２１】
ＣＰＵユニット３０は住宅情報盤３を統御するものであって、防犯、防災等住戸に設置されている各種センサ３５からの検知信号を取り込んで警報器３６より警報を発生させたり、モニタＴＶ３２に警報表示を行うとともに、ＩＰインターフェース３３とＩＰネットワーク１を通じて警報情報や、入力操作部３４の操作でセットされる留守録のセット情報を管理装置６へＩＰにより送出する機能を備え、またインターホン３１のオフフック／オンフックを監視し、オフフックされた状態で入力操作部３４から呼び出し番号が入力された際に、当該呼び出し番号に対応するＩＰアドレスを上記記憶部より読み出し、宛先ＩＰアドレスをＩＰインターフェース３３に送る番号−ＩＰアドレス変換機能を備えている。
【００２２】
また加入者電話１４に対する通話指示の場合には、ＶｏＩＰサーバ１２のＩＰアドレス及び呼び出し先電話番号をＩＰインターフェース３３に送出するデータ処理機能をＣＰＵユニット３０は備えている。また住宅情報盤３に割り当てられているＩＰアドレスに対応した着信要求データがＩＰインターフェース３１を通じて受信されると、起動してスピーカ３７より着信音を報知させるリンガ発生機能と、その後インターホン３１がオフフックされたことが検知されると着信要求先ＩＰアドレスに対する通話路の形成を知らせたり、また話し中の場合にはビジーステータスで応答して着信拒否を着信要求先へ知らせる機能等を備えている。
【００２３】
インターホン３１は、送話器３１ａと、受話器３１ｂと、アンプ３１ｃを介して入力が送話器３１ａに接続されたＡ／Ｄ変換器３１ｄと、アンプ３１ｅを介して受話器３１ｂに出力が接続されたＤ／Ａ変換器３１ｆとを備え、オフフック／オンフックの信号をＣＰＵユニット３０に送るとともに、Ａ／Ｄ変換器３１ｄの入力、Ｄ／Ａ変換器３１ｆの出力をＩＰインターフェース３３内の音声復号化伸張部３３ａ、音声符号化圧縮部３３ｂに接続してある。
【００２４】
ＩＰインターフェース３３は、通話経路形成時に、ＩＰネットワーク１上に送出されている所定ＩＰのパケットのヘッダの宛先が自己機器のＩＰアドレスであって、ＶｏＩＰであれば、パケットを取り込んで音声復号化伸張処理を行って音声データを取り出し、Ｄ／Ａ変換器３１ｆによりＤ／Ａ変換後、アンプ３１ｅを通じて受話器３１ａに送る機能と、送話器３１ｂから入力されアンプ３１ｃを介してＡ／Ｄ変換器３１ｄを通じて音声データが入力されると、音声データを音声符号化圧縮部３３ｂにより圧縮符号化してパケット化するとともに通話先のＩＰアドレスを宛先としてヘッダに付し、ＶｏＩＰによりＩＰネットワーク１上に送出する機能を有する。
【００２５】
またＩＰインターフェース３３は、ＩＰネットワーク１上に送出されている所定ＩＰのパケットのヘッダの宛先が自己のＩＰアドレスであって、送られてくるパケットの内容が画像データであれば画像処理部３８へ送出する機能を備え、画像処理部３８は送られてきた画像データを復号伸張化した後アナログの画像信号に変換してモニタＴＶ３２へ送り出し、モニタＴＶ３２で映し出させるようになっている。この画像データは当該住戸２のドアホン４に設けられたＴＶカメラ４２の画像や、ロビーインターホン５に設けられたＴＶカメラ５２の画像に対応する。
【００２６】
さらにＩＰインターフェース３３は、ＣＰＵユニット３０の番号−ＩＰアドレス変換機能を通じて通話先のＩＰアドレスが与えられると、着信要求データをパケット化した上でＩＰアドレスを宛先情報としてヘッダに付し、ＩＰネットワーク１上に送出し、宛先から通話路確立を示すデータが送られてくると、ＣＰＵユニット３０の制御の下で、上述したインターホン３１に対する音声データの処理を行う。
【００２７】
住戸２に備わっているドアホン４は、図２に示すようにＣＰＵユニット４０と、通話入出力部４１と、ＴＶカメラ４２と、ＩＰインターフェース４３と、画像処理部４４と、呼び出し釦４５とで構成され、インターホン通話の処理機能は住宅情報盤３と同じとなっており、ＣＰＵユニット４０は呼び出し釦４５が操作されると、番号−ＩＰアドレス変換機能により、予め登録されている当該住戸２の住宅情報盤３のＩＰアドレスをＩＰインターフェース４３に与えるようになっている。ＩＰインターフェース４３は、ＣＰＵユニット４０の番号−ＩＰアドレス変換機能を通じて通話先のＩＰアドレスが与えられると、着信要求データをパケット化した上でＩＰアドレスを宛先としてヘッダに付して、ＩＰネットワーク１上に送出し、着信要求先、この場合当該住戸２の住宅情報盤３から通話路確立を示すデータが送られてくると、ＣＰＵユニット４０の制御の下で通話入出力部４１に対する音声通話の処理を開始するようなっている。通話入出力部４１はインターホン３１と同様に送話器４１ａ、アンプ４１ｃ、Ａ／Ｄ変換器４１ｄ、受話器４１ｂ、アンプ４１ｅ、Ｄ／Ａ変換器４１ｆからなり、ＩＰインターフェース４３は、音声復号化伸張機能（図示せず）によりＶｏＩＰにより送られてくるパケット化された音声データを復号化して通話入出力部４１へ、また通話入出力部４１から入力される音声データを音声符号化圧縮機能により圧縮符号化してＶｏＩＰによりＩＰネットワーク１上に送出する。
【００２８】
また通話路が形成されると、ＣＰＵユニット４０は画像処理部４４を動作させてＴＶカメラ４２がとらえた映像のデータを画像処理部４４に取り込ませ、データを圧縮符号化した後、ＩＰインターフェース４３によりパケット化して画像用のＩＰを用いて当該住戸２の住宅情報盤３のＩＰアドレスに対してＩＰネットワーク１を通じて送出させるようになっており、この画像データは上述したように住宅情報盤３で伸張復号化されてモニタＴＶ３２により映し出される。
【００２９】
以上のように住戸２の住宅情報盤１とドアホン５とはＩＰネットワーク１を介して接続され、従来の住宅情報盤１とドアホン５との関係のように来訪者との通話や来訪者の姿のモニタが行えるのである。
【００３０】
ロビーインターホン装置５の構成は、図３に示すようにＣＰＵユニット５０と、インターホン５１と、ＴＶカメラ５２と、ＩＰインターフェース５３と、入力操作部５４と、画像処理部５５とで構成されている。このロビーインターホン装置５は住宅情報盤３と同様に入力操作部５４によって訪問先の住戸の番号が入力されるとＣＰＵユニット５０の番号−ＩＰアドレス変換機能により当該番号を、当該番号に対応する住戸２の住宅情報盤３に与えられているＩＰアドレスに変換し、ＩＰインターフェース５３に宛先情報として出力するようになっている。ＩＰインターフェース５３は通話先のＩＰアドレスが与えられると、着信要求データをパケット化した上でＩＰアドレスを宛先としてヘッダに付し、ＩＰネットワーク１上に送出し、着信要求先の住戸２の住宅情報盤３から通話路確立を示すデータが送られてくると、ＣＰＵユニット５０の制御の下でインターホン５１に対する音声通話の処理を開始する。インターホン５１はインターホン３１と同様に送話器５１ａ、アンプ５１ｃ、Ａ／Ｄ変換器５１ｄ、受話器５１ｂ、アンプ５１ｅ、Ｄ／Ａ変換器５１ｆからなり、ＩＰインターフェース５３は、音声復号化伸張機能（図示せず）によりＶｏＩＰにより送られてくるパケット化された音声データを復号化してインターホン５１へ、またインターホン５１から入力される音声データを圧縮符号化機能（図示せず）により圧縮符号化してＶｏＩＰによりＩＰネットワーク１上に送出する。
【００３１】
また音声通話路が形成されると、ＣＰＵユニット５０は画像処理部５４を動作させてＴＶカメラ５２がとらえた映像のデータを画像処理部５４に取り込んで、画像データを圧縮符号化した後、ＩＰインターフェース５３によりパケット化し、画像に対応するＩＰにより通報先の住戸２の住宅情報盤３のＩＰアドレスに対してＩＰネットワーク１を通じて送出させるようになっており、この画像データは上述したように住宅情報盤３で伸張復号化されてモニタＴＶ３２により映し出される。勿論管理人室に対する呼び出し時には通話相手が管理装置６のインターホン６１となる。
【００３２】
管理装置６の構成は、図４に示すようにＣＰＵユニット６０と、インターホン６１と、モニタＴＶ６２と、ＩＰインターフェース６３と、入力操作部６４と、画像処理部６５と、ルータ６６と、留守録部６７と、警報監視部６８とで構成されている。
【００３３】
この管理装置６のＣＰＵユニット６０の番号−ＩＰアドレス変換機能には各住戸２の住宅情報盤５は勿論のこと、ロビーインターホン装置５，エレベータ内の監視／通話装置９、他の集合住宅１１の住戸２の住宅情報盤５、共用部内固定設置型音声装置１５に割り当てている番号と、ＩＰアドレスとの関係テーブルを備え、夫々に備わっているインターホンや通話機能を呼び出すことができるのは勿論のこと、一斉呼び出しの操作指示があると、当該集合住宅内の各住戸２の住宅情報盤３のインターホン３１に対するＩＰアドレスを順次抽出するとともに共用部内固定設置型音声装置１５のＩＰアドレスを抽出する機能を備えている。
【００３４】
ＩＰインターフェース６３は通話先のＩＰアドレスが与えられると、着信要求データをパケット化した上でＩＰアドレスを宛先としてヘッダに付し、ＩＰネットワーク１上に送出し、着信要求先の住戸２の住宅情報盤３等から通話路確立を示すデータが送られてくると、ＣＰＵユニット６０の制御の下でインターホン６１に対する音声通話の処理を開始する。インターホン６１はインターホン６１と同様に送話器６１ａ、アンプ６１ｃ、Ａ／Ｄ変換器６１ｄ、受話器６１ｂ、アンプ６１ｅ、Ｄ／Ａ変換器６１ｆからなり、ＩＰインターフェース６３は、音声復号化伸張機能（図示せず）によりＶｏＩＰにより送られてくるパケット化された音声データを復号化してインターホン６１へ、またインターホン６１から入力される音声データを圧縮符号化機能（図示せず）により圧縮符号化してＶｏＩＰによりＩＰネットワーク１上に送出する機能を備えている。
【００３５】
またＩＰインターフェース６３は、ＩＰネットワーク１上に送出されている所定ＩＰのパケットのヘッダの宛先が自己機器のＩＰアドレスであって、送られてくるパケットの内容が画像データであれば画像処理部６５へ送出する機能を備え、画像処理部６５は送られてきた画像データを復号伸張化した後、アナログの画像信号に変換して、モニタＴＶ６２へ送り出し、モニタＴＶ６２に映し出すようになっている。この画像データは当該住戸２のドアホン４に設けられたＴＶカメラ４０の画像や、ロビーインターホン５に設けられたＴＶカメラ５０、更にエレベータ内の監視／通話装置９に設けられているＴＶカメラや共用部に設けられたＴＶカメラ７の画像に対応する。ルータ６６は当該集合住宅内のＩＰネットワーク１と、外部のインターネット１０とを接続するためのものであり、また内部には住戸２の住宅情報盤３から外部への通信履歴を蓄積する履歴蓄積部を備え、外部通信に対する施設利用代の課金するための情報として使用するようなっている。
【００３６】
留守録部６７は、各住戸２の住宅情報盤３から留守録セット情報が情報伝送に対応するＩＰにより送られてくると、ＣＰＵユニット６０の制御の下で機能するようになっている。そして、来訪者がロビーインターホン装置５を通じて留守録セットを行った当該住戸２の住宅情報盤３のインターホン３１に対する呼び出し操作があって当該住宅情報盤３のＩＰアドレスに対する宛先をヘッダに付したパケットがＩＰネットワーク１上に送出されたことを、ＣＰＵユニット６０がＩＰインターフェース６３を通じて検知すると、ＣＰＵユニット６０の制御の下でロビーインターホン装置５のインターホン５１との間で通話路を形成し、留守録部６７内のメッセージ登録部６７ａから当該住戸２の住人が留守である旨と、録音開始のタイミングを知らせる音声メッセージをＶｏＩＰによりロビーインターホン装置５に対してへ送出し、ＶｏＩＰによりＩＰインターフェース６３を通じてロビーインターホン装置５のインターホン５１からの音声データが取り込まれると、留守録部６７内の録音部に音声データを記録するようになっている。この記録された音声データは、留守録セットを行った住戸２の住宅情報盤３のインターホン３１がオフフックされると、ＣＰＵユニット３０の制御の下で自動的に管理装置６のＩＰアドレスを宛先としてヘッダに付し、留守録再生指示のデータが書き込まれたパケットを情報伝送に対応するＩＰによりＩＰインターフェース３３を通じてＩＰネットワーク１に送出するようになっている。管理装置６のＣＰＵユニット６０はＩＰインターフェース６３を通じて留守録再生指示のデータを受け取ると、当該住戸２の住宅情報盤３のインターホン３１との通話経路を形成し、留守録部６７の録音部に記録している当該住戸２宛の音声データを読み出し、ＩＰインターフェース６３を介してＶｏＩＰによりＩＰネットワーク１上に送出するとともに、留守録セット状態をリセットする。ネットワーク１上に送出されたＶｏＩＰによる音声データは当該住戸２の住宅情報盤３のＩＰインターフェース３３を通じてインターホン３１の受話器３１ｂを介して聞こえ、住人は来訪者のメッセージを受け取ることができることになる。
【００３７】
警報監視部６８は住戸２の住宅情報盤３からＩＰネットワーク１を通じて情報伝送に対応するＩＰにより管理装置６へ警報情報が送られてくると、ＣＰＵユニット６０の制御の下で、警報情報の内容や発報した住宅２の情報をモニタＴＶ６２に表示するとともに警報を発し、管理人に住戸２に異常発生があったことを知らせるようになっている。管理人はこの警報と情報とにより当該住戸２に対する確認のためにインターホン６１による呼び出し通話や、住戸２へ出向き、その結果に基づいて異常発生時の処理を行うことができる。また共用部に設けた共用部内固定設置型音声装置１５に対してＩＰネットワーク１を通じてＶｏＩＰにより放送音声データを送り一斉放送を行うこともできる。
【００３８】
尚図中６９は、着信音を報知させるためのスピーカであり、ＣＰＵユニット６０のリング発生機能により制御される。
【００３９】
尚監視／通話装置９は、呼び出し先が管理装置６のインターホン６１である点でドアホン５と相違するが、ハードウェア的な構成はドアホン５と同じであるので、構成の図示と説明は省略する。
【００４０】
また共用部のＴＶカメラ７が撮像する画像は、映像アダプタ８によって圧縮符号化されてパッケット化されＩＰによりＩＰネットワーク１上を通じて管理装置６に対して常時或いは定期的に送られ、管理装置６に設けたモニタＴＶ６２に映し出されるようになっている。
【００４１】
而して上述のように構成した本実施形態の集合住宅用通信システムは、ロビーインターホン装置５と住戸２の住宅情報盤３のインターホン３１との間、ロビーインターホン装置５と管理装置６のインターホン６１との間、住戸２の住宅情報盤３のインターホン３１と管理装置６のインターホン６１との間の通話は勿論のこと、各住戸２の住宅情報盤３のインターホン３１同士の通話経路を同じＩＰネットワーク１を通じて構築でき、ＶｏＩＰを用いて双方向に音声データを送ることにより、従来のように通話路形成時の線路切り替えの制御などを必要とせず、更に電話網１３に接続されている加入者電話１４との間の通話も集合住宅内のＩＰネットワーク１を通じて行うこともできる。
【００４２】
更に警報情報や画像情報等の情報も情報伝送に対応するＩＰによってＩＰネットワーク１を通じて伝送することができるため、特別な監視制御のための伝送制御を行う必要がなくなる。また住戸２の戸数の増減に対してもＩＰアドレスとこれに対応する呼び出しのための番号の割り当てを行うことと、番号−ＩＰアドレス変換機能に持たせる関係テーブルの変更のみで簡単に対処できることになる。
【００４３】
【発明の効果】
請求項１の発明では、集合住宅の共用部に設置されるロビーインターホン装置と、集合住宅内の各住戸に設置されるインターホンを具備した住宅情報盤と、ロビーインターホン装置及び各住戸の住宅情報盤を接続したＩＰネットワークを少なくとも備え、ロビーインターホン装置及び各々の住宅情報盤にＶｏＩＰによる通話処理機能を設け、ロビーインターホン装置と住宅情報盤のインターホンとの間若しくは各々の住宅情報盤のインターホン間の通話をＶｏＩＰにて行い、ＩＰネットワークと同じ通信方式による通信が行われ複数のＩＰネットワークが接続可能な第１の公衆網とＩＰネットワークと異なる通信方式による通信が行われる第２の公衆網とを接続するＶｏＩＰサーバを備え、ＩＰネットワークを第１の公衆網に接続し、第１の公衆網を介して第２の公衆網に接続された通話機器と、ロビーインターホン装置若しくは住宅情報盤のインターホンとの間で通話可能とし、住宅情報盤に設けた留守設定手段によって留守設定が為されている住宅に対する呼び出しがあると、起動して呼び出し側に対して留守録状態であることを知らせ且つ呼び出し側の音声データを記録する留守録機能を備え、ＩＰネットワークに接続された管理装置を具備したので、共通のＩＰネットワークを利用して線路の切り替え無く、通話路を構築することができ、住戸数に関わりなく配線が簡単になる上に、線路切り替えの制御のための構成を必要とせず、システムコストも安価となり、また住戸の住宅情報盤のインターホン同士の通話もできるという効果がある。さらに、住戸の住人の留守中に来訪者が有った場合に、その来訪者に留守であることを告げることと、来訪者のメッセージを後で聞くことができる。
【００４４】
また請求項１の発明では、他の集合住宅の住戸の住宅情報盤のインターホンとの間の通話や、ＶｏＩＰゲートウェアを介して電話網に接続された加入者電話との通話も可能となる。
【００４５】
請求項２の発明では、請求項１の発明において、上記ロビーインターホン装置及び各住宅情報盤に、固有の呼び出し番号及び対応するＩＰアドレスを割り当てるとともに、通話相手先の呼び出し時に通話相手先の呼び出し番号を入力する入力手段と、該入力手段から入力された相手先番号から対応するＩＰアドレスに変換する番号−ＩＰアドレス変換手段を備えたので、ＩＰアドレスの代わりに取り扱い易い番号により、加入者電話でのダイヤル操作と同様な感覚で呼び出し操作ができる。
【００４６】
請求項３の発明では、請求項１又は２の何れかの発明において、上記ロビーインターホン装置にＴＶカメラを具備しているので、来訪者を画像によってモニタすることが可能となる。
【００４７】
請求項４の発明では、請求項１乃至３の何れか記載の発明において、上記住戸には、ＶｏＩＰ処理機能を有し且つ上記ＩＰネットワークに接続されたドアホンを設けてあるので、ドアホンと住宅情報盤との接続配線が簡単になる。
【００４８】
請求項５の発明では、請求項４の発明において、上記ドアホンにＴＶカメラを具備しているので、来訪者を画像によってモニタすることが可能となる。
【００４９】
請求項６の発明では、請求項１乃至５の何れかの発明において、上記集合住宅の共用部に、ＶｏＩＰ処理機能を有し、上記ＩＰネットワークに接続された音声装置を設置しているので、共用部の音声装置に対する音声通信の配線も共通のＩＰネットワークを使用することができ、この音声装置に対する配線も簡単となる。
【００５１】
請求項７の発明では、請求項１乃至６の何れかの発明において、上記管理装置には各住戸の通話履歴を保存する履歴保存機能を備えているので、保存履歴を各住戸のシステム利用に伴う課金などの資料として利用することができる。
【図面の簡単な説明】
【図１】本発明の一実施形態のシステム構成図である。
【図２】同上の住戸の住宅情報盤及びインターホン子機の構成図である。
【図３】同上のロビーインターホン装置の構成図である。
【図４】同上の管理装置の構成図である。
【符号の説明】
１  ＩＰネットワーク
２  住戸
３  住宅情報盤
４  インターホン子機
５  ロビーインターホン装置
６  管理装置
７  ＴＶカメラ
８  映像アダプタ
９  監視／通話装置
１０  インターネット
１１  集合住宅
１２  ＶｏＩＰサーバ
１３  電話網
１４  加入者電話
１５  共用部内固定設置型音声装置
【図１】
0004965771.tif 000002
【図２】
0004965771.tif 000003
【図３】
0004965771.tif 000004
【図４】
0004965771.tif 000005